(57)【要約】  本発明の一形態に係るユーザ装置は、同期信号が配置される周波数ブロックにおいて基地局から送信された第１のシステム情報を受信する受信部と、前記第１のシステム情報から決定されるパラメータ値に基づいて、第２のシステム情報を受信するための制御チャネルのサーチスペースが存在するか否か判断し、制御チャネルのサーチスペースが存在しない場合、且つ、前記パラメータ値が所定の範囲内にない場合、所定の条件を満たすまで、キャリア周波数帯域内の少なくとも一部の周波数範囲において検出すべき同期信号が存在しないとみなす制御部とを有する。
2019193638.tif 000002
【特許請求の範囲】
【請求項１】
同期信号が配置される周波数ブロックにおいて基地局から送信された第１のシステム情報を受信する受信部と、
前記第１のシステム情報から決定されるパラメータ値に基づいて、第２のシステム情報を受信するための制御チャネルのサーチスペースが存在するか否か判断し、制御チャネルのサーチスペースが存在しない場合、且つ、前記パラメータ値が所定の範囲内にない場合、所定の条件を満たすまで、キャリア周波数帯域内の少なくとも一部の周波数範囲において検出すべき同期信号が存在しないとみなす制御部と、
を有するユーザ装置。
【請求項２】
前記制御部は、前記周波数範囲以外の周波数上で同期信号の検出が終わるまで、前記周波数範囲において検出すべき同期信号が存在しないとみなす、請求項１に記載のユーザ装置。
【請求項３】
前記制御部は、所定の期間が経過するまで、前記周波数範囲において検出すべき同期信号が存在しないとみなす、請求項１に記載のユーザ装置。
【請求項４】
前記制御部は、前記所定の条件が満たされるまで、前記周波数範囲において同期信号の検出を停止し、前記所定の条件が満たされた後に、前記周波数範囲において同期信号の検出を可能にする、請求項１乃至３のうちいずれか１項に記載のユーザ装置。
【発明の詳細な説明】
【技術分野】
【０００１】
本発明は、無線通信の分野に関し、特にユーザ装置に関する。
【背景技術】
【０００２】
ＬＴＥ（Long Term Evolution）方式及びＬＴＥ−Ａ（Long Term Evolution Advanced）方式の無線通信システムでは、ユーザ装置（ＵＥ：User Equipment）は、物理チャネルの設定時に、接続先のセルを探索するためのセルサーチを行う。ユーザ装置は、セルサーチにより、セルの物理セルＩＤ（ＰＣＩ：physical Cell Identity）を取得すると共に、無線フレームタイミング同期を行う。【０００３】
ＬＴＥでは、セルサーチが効率的に行われるように、同期信号（ＳＳ：Synchronization Signal）としてプライマリ同期信号（ＰＳＳ：Primary Synchronization Signal）及びセカンダリ同期信号（ＳＳＳ：Secondary Synchronization Signal）が規定されている。ＰＳＳは主にシンボルタイミング同期及びローカルＩＤ検出に用いられ、ＳＳＳは無線フレーム同期及びセルグループＩＤ検出に用いられる。これらの２つの信号系列の組み合わせを検出することにより、セルのＰＣＩが取得できる。【０００４】
また、物理ブロードキャストチャネル（ＰＢＣＨ：Physical Broadcast Channel）には、ユーザ装置がセルサーチ後に最初に読むべき基本的なシステム情報が含まれている。この基本的なシステム情報は、ＭＩＢ（Master Information Block）と呼ばれる。その他のシステム情報であるＳＩＢ（System Information Block）は物理共有データチャネル（ＰＤＳＣＨ：Physical Downlink Shared Channel）にて送信される。ここで、ＳＩＢを取得するには、物理制御チャネル（ＰＤＣＣＨ：Physical Downlink Control Channel）にて送信される制御情報を取得する必要がある。
【先行技術文献】
【非特許文献】
【０００５】
【非特許文献１】ＴＳ  ３８．２１１  Ｖ２．０．０（２０１７−１２）
【非特許文献２】ＴＳ  ３８．２１３  Ｖ２．０．０（２０１７−１２）
【発明の概要】
【発明が解決しようとする課題】
【０００６】
３ＧＰＰ（The 3rd Generation Partnership Project）において、ＬＴＥ及びＬＴＥ−Ａの次世代の通信規格（５Ｇ又はＮＲ）が議論されている。ＮＲにおいても、ＬＴＥ及びＬＴＥ−Ａと同様に、ユーザ装置が初期アクセス時に同期信号を検出してシステム情報の一部であるＭＩＢを取得することが検討されている。【０００７】
ＬＴＥでは、同期信号及びＰＢＣＨはシステム帯域の中心に配置され、ＰＤＣＣＨはシステム帯域の予め決められた位置に配置される。一方、ＮＲでは、同期信号及びＰＢＣＨをＳＳ／ＰＢＣＨブロックと呼ばれる１つの単位の周波数ブロックとして定義し、キャリア周波数帯域内に１つ又は複数のＳＳ／ＰＢＣＨブロックを設けることができる（非特許文献１参照）。【０００８】
ユーザ装置は、ＳＳ／ＰＢＣＨブロックにおいて同期信号を受信してＭＩＢを取得した後に、ＰＤＳＣＨにて送信される残りのシステム情報（ＲＭＳＩ：Remaining Minimum System Information）を取得する。ここで、ＲＭＳＩを取得するには、ＰＤＣＣＨを検索するためのサーチスペース（以下、ＰＤＣＣＨサーチスペースと呼ばれる）を適切に決定する必要がある（非特許文献２参照）。【０００９】
本発明は、ユーザ装置がＰＤＣＣＨサーチスペースを適切に決定する仕組みを提供することを目的とする。
【課題を解決するための手段】
【００１０】
本発明の一形態に係るユーザ装置は、
同期信号が配置される周波数ブロックにおいて基地局から送信された第１のシステム情報を受信する受信部と、
前記第１のシステム情報から決定されるパラメータ値に基づいて、第２のシステム情報を受信するための制御チャネルのサーチスペースが存在するか否か判断し、制御チャネルのサーチスペースが存在しない場合、且つ、前記パラメータ値が所定の範囲内にない場合、所定の条件を満たすまで、キャリア周波数帯域内の少なくとも一部の周波数範囲において検出すべき同期信号が存在しないとみなす制御部と、
を有する。
【発明の効果】
【００１１】
本発明によれば、ユーザ装置がＰＤＣＣＨサーチスペースを適切に決定することが可能になる。
【図面の簡単な説明】
【００１２】
【図１】本発明の実施の形態に係る無線通信システムの構成を示す図である。
【図２】本発明の実施の形態に係る無線通信システムの動作を示すシーケンス図である。
【図３】本発明の実施の形態に係るユーザ装置の動作を示すフローチャートである。
【図４】FR1の場合のkSSB及びRMSI-PDCCH-ConfigとNGSCNOffsetとの関係を示す図である。
【図５】FR2の場合のkSSB及びRMSI-PDCCH-ConfigとNGSCNOffsetとの関係を示す図である。
【図６】本発明の実施の形態に係る基地局の機能構成例を示す図である。
【図７】本発明の実施の形態に係るユーザ装置の機能構成例を示す図である。
【図８】基地局又はユーザ装置のハードウェア構成の一例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の無線通信システムは、ＬＴＥシステム及びＬＴＥ−Ａｄｖａｎｃｅｄシステムの後継のＮＲシステムを想定しているが、本発明は、ユーザ装置がシステム情報を取得するためのＰＤＣＣＨサーチスペースを決定する他の方式にも適用可能である。
【００１４】
＜システム構成、動作概要＞
図１は、本発明の実施の形態に係る無線通信システムの構成を示す図である。本実施の形態に係る無線通信システムは、図１に示すように、基地局（ｇＮＢとも呼ばれる）１００及びユーザ装置（ＵＥとも呼ばれる）２００を含む。図１には、基地局１００及びユーザ装置２００が１つずつ示されているが、これは例であり、それぞれ複数であってもよい。
【００１５】
基地局１００は、１つまたは複数（例えば、３つ）の（セクタとも呼ばれる）セルを収容することができる。基地局１００が複数のセルを収容する場合、基地局１００のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｇＮＢ」、「ｅＮＢ」、「セル」、および「セクタ」という用語は、本明細書では互換的に使用され得る。基地局１００は、固定局（fixed station）、NodeB、gNodeB（gNB）、eNodeB（eNB）、アクセスポイント（access point）、フェムトセル、スモールセルなどの用語で呼ばれる場合もある。
【００１６】
ユーザ装置２００は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００１７】
図２は、本発明の実施の形態に係る無線通信システムの動作を示すシーケンス図である。図２を参照して、図１に示す無線通信システムにおける初期アクセスについて説明する。初期アクセスは、同期信号の検出、システム情報（ＭＩＢ及びＲＭＳＩ）の取得という手順で行われる。システム情報はブロードキャスト情報と呼ばれてもよい。
【００１８】
ユーザ装置２００は、予め決められた周波数ブロック（ＳＳ／ＰＢＣＨブロック）において基地局１００から送信されたＰＳＳ及びＳＳＳを受信し、セルの周波数、受信タイミング及びセルＩＤを検出する。そして、ユーザ装置２００は、ＰＳＳ及びＳＳＳを受信したＳＳ／ＰＢＣＨブロックにおいて、ＰＢＣＨで送信されるシステム情報（ＭＩＢ）を取得する（Ｓ１０１）。ＳＳ／ＰＢＣＨブロックは、キャリア周波数帯域内に１つ設定されてもよく、複数設定されてもよい。
【００１９】
ユーザ装置２００は、ＰＢＣＨにて送信されたＭＩＢに基づいて、残りのシステム情報（ＲＭＳＩ）を受信するためのＰＤＣＣＨサーチスペースを決定する（Ｓ１０３）。このＰＤＣＣＨサーチスペースは、ユーザ装置２００に特有のＰＤＣＣＨサーチスペースではなく、セル内のユーザ装置２００が共通して検索すべきＰＤＣＣＨサーチスペースであるため、ＰＤＣＣＨ共通サーチスペース（PDCCH common search space）とも呼ばれる。
【００２０】
ユーザ装置２００がＰＤＣＣＨサーチスペースにおいてＲＭＳＩを受信するために必要な制御情報を受信した場合、その制御情報に基づいてＰＤＳＣＨにて送信されるＲＭＳＩを受信することができる（Ｓ１０５）。
【００２１】
ここで、ＳＳ／ＰＢＣＨブロックが決まれば、常にＰＤＣＣＨサーチスペースが決まるとは限らない。例えば、基地局１００が或るＳＳ／ＰＢＣＨブロックでＭＩＢを送信するが、そのＭＩＢに対応するＲＭＳＩを送信しないという運用も可能である。その場合、基地局１００は、（１）ユーザ装置２００に対して、別のＳＳ／ＰＢＣＨブロックの検出を指示してもよく、或いは、（２）ユーザ装置２００の処理を軽減するために、キャリア周波数帯域内の少なくとも一部の周波数範囲を設定して、その周波数範囲においてＳＳ／ＰＢＣＨブロックの検出を停止するという指示を行ってもよい。なお、（１）及び（２）の指示は、基地局１００がユーザ装置２００に送信するＭＩＢ内の設定値を変更することにより実現可能である。
【００２２】
後者（２）の場合、悪意のある攻撃者が偽基地局（fake gNB）を設置してキャリア周波数帯域でＳＳ及びＭＩＢを送信すると共に、そのＭＩＢを用いて或る事業者のキャリア周波数帯域全体におけるＳＳ／ＰＢＣＨブロックの検出を停止するという指示を行うことも可能である。ユーザ装置２００がこの偽基地局から送信されたＭＩＢを受信してしまうと、ユーザ装置２００が事業者の正規の基地局に接続できない恐れがある。場合によっては、ユーザ装置２００の再起動がない限り、正規の基地局に接続できない恐れがあり、また、ユーザ装置２００がエリアを移動しても、正規の基地局に接続できない恐れがある。
【００２３】
そこで、以下の実施の形態では、キャリア周波数帯域内の少なくとも一部の周波数範囲においてＳＳ／ＰＢＣＨブロックの検出を停止する期間に制限を設ける例について説明する。具体的には、所定の条件が満たされるまでは、少なくとも一部の周波数範囲においてＳＳ／ＰＢＣＨブロックの検出を停止するが、所定の条件が満たされた後に、その周波数範囲においてＳＳ／ＰＢＣＨブロックの検出を可能にする。このような制限によって、ユーザ装置２００が偽基地局のＭＩＢを受信した場合であっても、或る期間の後に正規の基地局に接続することが可能になる。
【００２４】
＜ユーザ装置における動作例＞
図３は、本発明の実施の形態に係るユーザ装置２００の動作を示すフローチャートである。
【００２５】
ユーザ装置２００は、ＳＳ／ＰＢＣＨブロックを検出し、ＭＩＢを取得する（Ｓ２０１）。このステップは図２のＳ１０１と同じである。
【００２６】
ユーザ装置２００は、ＭＩＢに基づいて、ＲＭＳＩを受信するためのＰＤＣＣＨサーチスペースが存在するか否かを判断する（Ｓ２０３）。ＰＤＣＣＨサーチスペースが存在するか否かはＭＩＢから決定されるパラメータ値（kSSB）に基づいて決定されてもよい。kSSBは、ＳＳ／ＰＢＣＨと、ＰＤＣＣＨ及びＰＤＳＣＨとの間の周波数オフセットを示すパラメータであり、具体的には、ＭＩＢのパラメータ（ssb-subcarrierOffset）とＰＢＣＨペイロードとに基づいて決定される。ここでは、kSSBはＰＤＣＣＨの受信処理のためにも用いられる。例えば、キャリア周波数帯域がFR1（6GHz以下の周波数帯）である場合、且つ、kSSB≦23である場合、又は、キャリア周波数帯域がFR2（6GHzより大きい周波数帯）である場合、且つ、kSSB≦11である場合、ＰＤＣＣＨサーチスペース用の無線リソース（control resource set）が存在すると判断する。
【００２７】
基地局１００が或るＳＳ／ＰＢＣＨブロックでＭＩＢを送信し、そのＭＩＢに対応するＲＭＳＩを送信する場合、ＲＭＳＩを受信するためのＰＤＣＣＨサーチスペースが存在し、ＰＤＣＣＨサーチスペース用の無線リソースも存在する。その場合（Ｓ２０３：Ｙｅｓ）、ユーザ装置２００は、ＰＤＣＣＨサーチスペースを検索して制御情報を受信し、その制御情報に基づいてＰＤＳＣＨにて送信されるＲＭＳＩを受信する（Ｓ２０５）。
【００２８】
一方、基地局１００が或るＳＳ／ＰＢＣＨブロックでＭＩＢを送信するが、そのＭＩＢに対応するＲＭＳＩを送信しない場合、ＲＭＳＩを受信するためのＰＤＣＣＨサーチスペースは存在せず、ＰＤＣＣＨサーチスペース用の無線リソースも存在しない。上記のように、基地局１００は、（１）ユーザ装置２００に対して、別のＳＳ／ＰＢＣＨブロックの検出を指示してもよく、或いは、（２）ユーザ装置２００の処理を軽減するために、キャリア周波数帯域内の少なくとも一部の周波数範囲を設定して、その周波数範囲においてＳＳ／ＰＢＣＨブロックの検出を停止するという指示を行ってもよい。（１）又は（２）の指示のために、ＭＩＢから決定されるパラメータ値（kSSB）を用いることができる。
【００２９】
ＰＤＣＣＨサーチスペースが存在しない場合（Ｓ２０３：Ｎｏ）、ユーザ装置２００は、ＭＩＢから決定されるパラメータ値（kSSB）が所定の範囲内にあるか否かを判断する（Ｓ２０７）。例えば、キャリア周波数帯域がFR1である場合、ユーザ装置２００は、24≦kSSB≦30であるか否かを判断する。例えば、キャリア周波数帯域がFR2である場合、ユーザ装置２００は、12≦kSSB≦14であるか否かを判断する。
【００３０】
例えば、キャリア周波数帯域がFR1である場合、且つ、24≦kSSB≦30である場合、又は、キャリア周波数帯域がFR2である場合、且つ、12≦kSSB≦14である場合、ユーザ装置２００は、ＰＤＣＣＨスペースを決定するために別のＳＳ／ＰＢＣＨブロックを検出するべきと判断し、検出すべきＳＳ／ＰＢＣＨブロックを決定する（Ｓ２０９）。検出すべきＳＳ／ＰＢＣＨブロックは、kSSBに加えてＭＩＢに含まれるRMSI-PDCCH-Configに基づいて決定される。ここで、RMSI-PDCCH-Configは、ＰＤＣＣＨにおいてＲＭＳＩを受信するために必要な設定情報である。検出すべきＳＳ／ＰＢＣＨブロックのグローバル同期チャネル番号（ＧＳＣＮ：global synchronization channel number）は、NGSCNReference+NGSCNOffsetによって求められてもよい。ここで、NGSCNReferenceは、ステップＳ２０１で検出したＳＳ／ＰＢＣＨブロックのＧＳＣＮであり、NGSCNOffsetは、kSSB及びRMSI-PDCCH-Configの組み合わせに応じて図４又は図５のテーブルから決まる値である。図４にはFR1の場合のkSSB及びRMSI-PDCCH-ConfigとNGSCNOffsetとの関係が示されており、図５にはFR2の場合のkSSB及びRMSI-PDCCH-ConfigとNGSCNOffsetとの関係が示されている。図４及び図５の関係は予め仕様によって決められてもよい。
【００３１】
検出すべきＳＳ／ＰＢＣＨブロックを決定した後に、ステップＳ２０１の処理に戻り、上記の通り、ユーザ装置２００はＳＳ／ＰＢＣＨブロックを検出し、ＭＩＢ及びＲＭＳＩを取得する。
【００３２】
一方、キャリア周波数帯域がFR1である場合、且つ、kSSB=31である場合（24≦kSSB≦30でない場合）、又は、キャリア周波数帯域がFR2である場合、且つ、kSSB=15である場合（12≦kSSB≦14でない場合）、ユーザ装置２００は、キャリア周波数帯域内の少なくとも一部の周波数範囲において検出すべきＳＳ／ＰＢＣＨブロックが存在しないとみなす（Ｓ２１１）。ただし、検出すべきＳＳ／ＰＢＣＨブロックが存在しないとみなす期間に条件を設け、所定の条件を満たすまで、キャリア周波数帯域内の少なくとも一部の周波数範囲において検出すべきＳＳ／ＰＢＣＨブロックが存在しないとみなす。検出すべきＳＳ／ＰＢＣＨブロックが存在しないとみなす周波数範囲は、[NGSCNReference-NGSCNStart, NGSCNReference+NGSCNEnd]によって求められてもよい。NGSCNStart及びNGSCNEndは、RMSI-PDCCH-Configに基づいて決定されてもよく、例えば、それぞれRMSI-PDCCH-Configの所定数の最上位ビット及び最下位ビットによって決定されてもよい。
【００３３】
例えば、ユーザ装置２００は、周波数範囲[NGSCNReference-NGSCNStart, NGSCNReference+NGSCNEnd]以外の周波数上でＳＳ／ＰＢＣＨブロックの検出が終わるまで、周波数範囲[NGSCNReference-NGSCNStart, NGSCNReference+NGSCNEnd]において検出すべきＳＳ／ＰＢＣＨブロックが存在しないとみなす。なお、ＳＳ／ＰＢＣＨブロックの検出が終わるまでという条件は、ユーザ装置２００が対応する全てのキャリア周波数帯域においてＳＳ／ＰＢＣＨブロックの検出が終わるまでとしてもよく、ステップＳ２０１においてＳＳ／ＰＢＣＨブロックの検出を試みるキャリア周波数帯域においてＳＳ／ＰＢＣＨブロックの検出が終わるまでとしてもよい。例えば、ユーザ装置２００が700MHz帯、1.5GHz帯、2GHz帯に対応している場合、これらの全ての帯域においてＳＳ／ＰＢＣＨブロックの検出が終わるまで、周波数範囲[NGSCNReference-NGSCNStart, NGSCNReference+NGSCNEnd]において検出すべきＳＳ／ＰＢＣＨブロックが存在しないとみなしてもよい。また、ユーザ装置２００が現在1.5GHz帯においてＳＳ／ＰＢＣＨブロックの検出を試みている場合には、1.5GHz帯においてＳＳ／ＰＢＣＨブロックの検出が終わるまで、周波数範囲[NGSCNReference-NGSCNStart, NGSCNReference+NGSCNEnd]において検出すべきＳＳ／ＰＢＣＨブロックが存在しないとみなしてもよい。
【００３４】
或いは、例えば、ユーザ装置２００は、所定の期間（例えば、300秒）が経過するまで、周波数範囲[NGSCNReference-NGSCNStart, NGSCNReference+NGSCNEnd]において検出すべきＳＳ／ＰＢＣＨブロックが存在しないとみなしてもよい。なお、所定の期間（例えば、300秒）は仕様で固定的に決められてもよく、ＭＩＢ内のパラメータ値としてユーザ装置２００に通知されてもよい。
【００３５】
その後、周波数範囲[NGSCNReference-NGSCNStart, NGSCNReference+NGSCNEnd]以外の周波数上で検出すべきＳＳ／ＰＢＣＨブロックが存在するか否かを判断する（Ｓ２１３）。存在する場合には、検出すべきＳＳ／ＰＢＣＨブロックを決定した後に（Ｓ２０９）、ステップＳ２０１の処理に戻り、上記の通り、ユーザ装置２００はＳＳ／ＰＢＣＨブロックを検出し、ＭＩＢ及びＲＭＳＩを取得する。
【００３６】
周波数範囲[NGSCNReference-NGSCNStart, NGSCNReference+NGSCNEnd]以外の周波数上で検出すべきＳＳ／ＰＢＣＨブロックが存在しない場合には、ステップＳ２１１に戻る。ここで、所定の条件が満たされている場合、例えば、周波数範囲[NGSCNReference-NGSCNStart, NGSCNReference+NGSCNEnd]以外の周波数上でＳＳ／ＰＢＣＨブロックの検出が終わった場合、又は、所定の期間（例えば、300秒）が経過した場合、周波数範囲[NGSCNReference-NGSCNStart, NGSCNReference+NGSCNEnd]内のＳＳ／ＰＢＣＨブロックを検出すべきＳＳ／ＰＢＣＨブロックに含める。検出すべきＳＳ／ＰＢＣＨブロックを決定した後に（Ｓ２０９）、ステップＳ２０１の処理に戻り、上記の通り、ユーザ装置２００はＳＳ／ＰＢＣＨブロックを検出し、ＭＩＢ及びＲＭＳＩを取得する。
【００３７】
なお、図３の説明において、一例としてkSSB、RMSI-PDCCH-Config等のＰＢＣＨにて通知される情報を用いた例を説明したが、ＰＢＣＨ又は他のチャネルにて通知される情報が用いられてもよい。
【００３８】
＜機能構成＞
次に、これまでの説明した処理を実行可能な基地局１００及びユーザ装置２００における機能構成を説明する。
【００３９】
図６は、本発明の実施の形態に係る基地局１００の機能構成例を示す図である。図６に示すように、基地局１００は、信号送信部１０１、信号受信部１０３、ＳＳ／ＰＢＣＨ送信処理部１０５、ＰＤＣＣＨ送信処理部１０７、ＰＤＳＣＨ送信処理部１０９及びシステム情報記憶部１１１を含む。図６は、基地局１００における主要な機能部のみを示している。また、図６に示す機能構成は一例に過ぎない。本実施の形態に係る動作を実行できるのであれば、どのような機能区分又は機能部の名称が用いられてもよい。
【００４０】
信号送信部１０１は、基地局１００から送信されるべき上位のレイヤの信号から、物理レイヤの各種信号を生成し、無線送信する機能を含む。信号受信部１０３は、各ユーザ装置２００から各種の信号を無線受信し、受信した物理レイヤの信号からより上位のレイヤの信号を取得する機能を含む。
【００４１】
信号送信部１０１及び信号受信部１０３はそれぞれ、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００４２】
システム情報記憶部１１１には、ユーザ装置２００に通知すべきシステム情報が格納される。
【００４３】
ＳＳ／ＰＢＣＨ送信処理部１０５は、同期信号（ＰＳＳ及びＳＳＳ）を生成し、システム情報記憶部１１１に記憶された、ＰＢＣＨにて送信すべきシステム情報（ＭＩＢ）を取得する。ＳＳ／ＰＢＣＨ送信処理部１０５は、同期信号及びＭＩＢを信号送信部１０１から送信させる。
【００４４】
ＰＤＣＣＨ送信処理部１０７は、ＰＤＳＣＨを受信するために必要となる、ＰＤＣＣＨにて送信すべき制御情報を生成する。ＰＤＣＣＨ送信処理部１０７は、制御情報を信号送信部１０１から送信させる。
【００４５】
ＰＤＳＣＨ送信処理部１０９は、システム情報記憶部１１１に記憶された、ＰＤＳＣＨにて送信すべきシステム情報（ＲＭＳＩ）を取得する。ＰＤＳＣＨ送信処理部１０９は、ＲＭＳＩを信号送信部１０１から送信させる。
【００４６】
図７は、本発明の実施の形態に係るユーザ装置２００の機能構成例を示す図である。図７に示すように、ユーザ装置２００は、信号送信部２０１、信号受信部２０３、ＳＳ／ＰＢＣＨ受信処理部２０５、ＰＤＣＣＨ受信処理部２０７、ＰＤＳＣＨ受信処理部２０９及びシステム情報記憶部２１１を含む。図７は、ユーザ装置２００において本発明の実施の形態に特に関連する機能部のみを示している。また、図７に示す機能構成は一例に過ぎない。本実施の形態に係る動作を実行できるのであれば、どのような機能区分又は機能部の名称が用いられてもよい。
【００４７】
信号送信部２０１は、ユーザ装置２００から送信されるべき上位のレイヤの信号から、物理レイヤの各種信号を生成し、無線送信する機能を含む。信号受信部２０３は、基地局１００から各種の信号を無線受信し、受信した物理レイヤの信号からより上位のレイヤの信号を取得する機能を含む。
【００４８】
信号送信部２０１及び信号受信部２０３はそれぞれ、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００４９】
システム情報記憶部２１１には、基地局１００から通知されたシステム情報が格納される。
【００５０】
ＳＳ／ＰＢＣＨ受信処理部２０５は、信号受信部２０３において受信した同期信号（ＰＳＳ及びＳＳＳ）から、セルの周波数、受信タイミング及びセルＩＤを検出する。また、ＳＳ／ＰＢＣＨ受信処理部２０５は、図２のステップＳ１０１において説明した通り、ＰＢＣＨにて送信されたシステム情報（ＭＩＢ）を取得し、ＭＩＢをシステム情報記憶部２１１に記憶する。
【００５１】
ＰＤＣＣＨ受信処理部２０７は、図２のステップＳ１０３において説明した通り、ＰＤＣＣＨサーチスペースを決定する。ＰＤＣＣＨ受信処理部２０７は、図２のステップＳ１０５において説明した通り、ＰＤＣＣＨサーチスペースを検索し、ＰＤＣＣＨにて送信された制御情報を取得する。
【００５２】
ＰＤＳＣＨ送信処理部１０９は、図２のステップＳ１０５で説明した通り、ＰＤＣＣＨ受信処理部２０７において取得された制御情報を用いて、ＰＤＳＣＨにて送信されたシステム情報（ＲＭＳＩ）を取得し、ＲＭＳＩをシステム情報記憶部２１１に記憶する。
【００５３】
＜ハードウェア構成＞
上記実施の形態の説明に用いたブロック図（図６及び図７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５４】
また、例えば、本発明の一実施の形態における基地局１００とユーザ装置２００はいずれも、本実施の形態に係る処理を行うコンピュータとして機能してもよい。図８は、本実施の形態に係る基地局１００及びユーザ装置２００のハードウェア構成の一例を示す図である。上述の基地局１００及びユーザ装置２００はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００５５】
なお、以下の説明では、「装置」という文言は、回路、デバイス、ユニットなどに読み替えることができる。基地局１００及びユーザ装置２００のハードウェア構成は、図に示した１００１〜１００６で示される各装置を１つ又は複数含むように構成されてもよいし、一部の装置を含まずに構成されてもよい。
【００５６】
基地局１００及びユーザ装置２００における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００５７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００５８】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００のＳＳ／ＰＢＣＨ送信処理部１０５と、ＰＤＣＣＨ送信処理部１０７と、ＰＤＳＣＨ送信処理部１０９は、メモリ１００２に格納され、プロセッサ１００１で動作する制御プログラムによって実現されてもよい。また、ユーザ装置２００のＳＳ／ＰＢＣＨ受信処理部２０５と、ＰＤＣＣＨ受信処理部２０７と、ＰＤＳＣＨ受信処理部２０９は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５９】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００６０】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局１００の信号送信部１０１及び信号受信部１０３は、通信装置１００４で実現されてもよい。また、ユーザ装置２００の信号送信部２０１及び信号受信部２０３は、通信装置１００４で実現されてもよい。
【００６２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００６３】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００６４】
また、基地局１００及びユーザ装置２００はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６５】
＜実施の形態のまとめ＞
以上、説明したように、本実施の形態によれば、同期信号が配置される周波数ブロックにおいて基地局から送信された第１のシステム情報を受信する受信部と、前記第１のシステム情報から決定されるパラメータ値に基づいて、第２のシステム情報を受信するための制御チャネルのサーチスペースが存在するか否か判断し、制御チャネルのサーチスペースが存在しない場合、且つ、前記パラメータ値が所定の範囲内にない場合、所定の条件を満たすまで、キャリア周波数帯域内の少なくとも一部の周波数範囲において検出すべき同期信号が存在しないとみなす制御部とを有するユーザ装置が提供される。
【００６６】
前記制御部は、前記所定の条件が満たされるまで、前記周波数範囲において同期信号の検出を停止し、前記所定の条件が満たされた後に、前記周波数範囲において同期信号の検出を可能にしてもよい。
【００６７】
当該ユーザ装置は、ＰＤＣＣＨサーチスペースを適切に決定することができる。例えば、悪意のある攻撃者が偽基地局を設置してＳＳ／ＰＢＣＨブロックでＭＩＢを送信すると共に、そのＭＩＢを用いて或る事業者のキャリア周波数全体におけるＳＳ／ＰＢＣＨブロックの検出を停止するという指示を行ったとしても、ＳＳ／ＰＢＣＨブロックの検出を停止する期間に制限が設けられるため、ユーザ装置が正規の基地局に常にアクセスできないという事態の発生を防止できる。
【００６８】
前記制御部は、前記周波数範囲以外の周波数上で同期信号の検出が終わるまで、前記周波数範囲において検出すべき同期信号が存在しないとみなしてもよい。
【００６９】
偽基地局によってキャリア周波数帯域の全体におけるＳＳ／ＰＢＣＨブロックの検出を停止するという指示が行われても、すぐにキャリア周波数全体の同期信号の検出が終わり、同期信号の検出を再開できる。
【００７０】
前記制御部は、所定の期間が経過するまで、前記周波数範囲において検出すべき同期信号が存在しないとみなしてもよい。
【００７１】
ユーザ装置はタイマによる期間の管理を行えばよく、簡易な処理で同期信号の検出を再開できる。
【００７２】
＜実施形態の補足＞
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７３】
本明細書で使用する「システム」および「ネットワーク」という用語は、互換的に使用される。
【００７４】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００７５】
情報等は、上位レイヤ（または下位レイヤ）から下位レイヤ（または上位レイヤ）へ出力され得る。複数のネットワークノードを介して入出力されてもよい。
【００７６】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００７７】
情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００７８】
判定は、１ビットで表される値（０か１か）によって行われてもよいし、真偽値（Boolean：trueまたはfalse）によって行われてもよいし、数値の比較（例えば、所定の値との比較）によって行われてもよい。
【００７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８２】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００８３】
また、本明細書で説明した情報、パラメータなどは、絶対値で表されてもよいし、所定の値からの相対値で表されてもよいし、対応する別の情報で表されてもよい。例えば、無線リソースはインデックスで指示されてもよい。
【００８４】
上述したパラメータに使用する名称はいかなる点においても限定的に解釈されるべきではない。さらに、これらのパラメータを使用する数式等は、本明細書で明示的に開示した数式等と異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的に解釈されるべきではない。
【００８５】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００８６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８７】
本明細書で使用する「第１の」、「第２の」などの呼称を使用した要素へのいかなる参照も、それらの要素の量または順序を全般的に限定しない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８８】
「含む（include）」、「含んでいる（including）」、およびそれらの変形が、本明細書あるいは請求の範囲で使用されている限り、これら用語は、用語「備える（comprising）」と同様に、包括的であることが意図される。さらに、本明細書あるいは請求の範囲において使用されている用語「または（or）」は、排他的論理和ではないことが意図される。
【００８９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９０】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行う通知に限られず、暗黙的（例えば、当該所定の情報の通知を行わない）ことによって行われてもよい。
【００９１】
以上、本発明について詳細に説明したが、当業者にとっては、本発明が本明細書中に説明した実施の形態に限定されないということは明らかである。本発明は、請求の範囲の記載により定まる本発明の趣旨及び範囲を逸脱することなく修正及び変更態様として実施することができる。したがって、本明細書の記載は、例示説明を目的としており、本発明に対して何ら制限的な意味を有さない。
【符号の説明】
【００９２】
１００  基地局
１０１  信号送信部
１０３  信号受信部
１０５  ＳＳ／ＰＢＣＨ送信処理部
１０７  ＰＤＣＣＨ送信処理部
１０９  ＰＤＳＣＨ送信処理部
１１１  システム情報記憶部
２００  ユーザ装置
２０１  信号送信部
２０３  信号受信部
２０５  ＳＳ／ＰＢＣＨ受信処理部
２０７  ＰＤＣＣＨ受信処理部
２０９  ＰＤＳＣＨ受信処理部
２１１  システム情報記憶部
【図１】
2019193638.tif 000003
【図２】
2019193638.tif 000004
【図３】
2019193638.tif 000005
【図４】
2019193638.tif 000006
【図５】
2019193638.tif 000007
【図６】
2019193638.tif 000008
【図７】
2019193638.tif 000009
【図８】
2019193638.tif 000010
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
同期信号が配置される周波数ブロックによる第１のシステム情報を受信する受信部と、
前記第１のシステム情報から決定されるパラメータ値に基づき、(1)第２のシステム情報を受信するための制御チャネルのサーチスペースが存在しない、且つ、(2)前記パラメータ値が或る範囲値内にない場合、或る条件を満たすまで、キャリア周波数帯域内の少なくとも一部の周波数範囲において検出すべき同期信号が存在しないとみなす制御部と、
を有する端末。
【請求項２】
前記制御部は、前記周波数範囲以外の周波数上で同期信号の検出が終わるまで、前記周波数範囲において検出すべき同期信号が存在しないとみなす、請求項１に記載の端末。
【請求項３】
前記制御部は、或る期間が経過するまで、前記周波数範囲において検出すべき同期信号が存在しないとみなす、請求項１に記載の端末。
【請求項４】
前記制御部は、前記或る条件が満たされるまで、前記周波数範囲において同期信号の検出を停止し、前記或る条件が満たされた後に、前記周波数範囲において同期信号の検出を可能にする、請求項１乃至３のうちいずれか１項に記載の端末。
【請求項５】
前記第１のシステム情報は、ＭＩＢであり、
前記第２のシステム情報は、共有チャネルで送信されるシステム情報であり、
前記制御チャネルのサーチスペースは、セル内の端末が共通して検索可能なＰＤＣＣＨサーチスペースである、請求項１乃至４のうちいずれか１項に記載の端末。
【請求項６】
端末における同期信号検出方法であって、
同期信号が配置される周波数ブロックによる第１のシステム情報を受信するステップと、
前記第１のシステム情報から決定されるパラメータ値に基づき、(1)第２のシステム情報を受信するための制御チャネルのサーチスペースが存在しない、且つ、(2)前記パラメータ値が或る範囲値内にない場合、或る条件を満たすまで、キャリア周波数帯域内の少なくとも一部の周波数範囲において検出すべき同期信号が存在しないとみなすステップと、
を有する同期信号検出方法。
【国際調査報告】
2019193638.tif 000011
2019193638.tif 000012